(57)【要約】【課題】ネットワークを介したコンテンツ再生においても適切な再生履歴を取得することができる装置等を提供する。【解決手段】ユーザ端末２００は、コンテンツ再生部２０２においてコンテンツ提供装置１００から受信したコンテンツを再生すると、該コンテンツからコンテンツＩＤを抽出し、該コンテンツＩＤを含む再生履歴情報を記録し、該再生履歴情報を再生履歴管理装置３００に送信する。再生履歴管理装置３００は、再生履歴情報に含まれるコンテンツＩＤを用いて属性情報取得手段４００からコンテンツの属性情報を取得する。また、分配額算出装置５００を用いてコンテンツの視聴料の分配額を算出する。【選択図】  図１
2005025559.tif 000002
【特許請求の範囲】
【請求項１】
ネットワークを介してコンテンツ提供装置から取得したコンテンツをユーザ端末において再生するシステムにおいて、ユーザ端末における再生履歴を再生履歴管理装置で管理する方法であって、
各コンテンツを一意に識別可能なコンテンツ識別情報が含まれるコンテンツの属性情報を属性情報管理装置で記憶管理しておき、
ユーザ端末はコンテンツを再生すると該コンテンツにアクセスするためのアクセス情報を含む再生履歴情報を記録するとともに該再生履歴情報を再生履歴管理装置に送信し、
ユーザ端末又は再生履歴管理装置は前記再生履歴情報のアクセス情報により取得されるコンテンツからコンテンツ識別情報を抽出して該再生履歴情報に含ませる
ことを特徴とする再生履歴管理方法。
【請求項２】
前記ユーザ端末は、再生対象となる一以上のコンテンツのアクセス情報が含まれるスクリプトに基づき該スクリプトに含まれるコンテンツの一部又は全てを再生し、再生したコンテンツについてのみ前記再生履歴情報を記録する
ことを特徴とする請求項１記載の再生履歴管理方法。
【請求項３】
前記再生履歴管理装置は、再生履歴情報に含まれるコンテンツ識別情報に基づき前記属性情報管理装置からコンテンツの属性情報を取得し、該属性情報に基づきスクリプトの視聴料を各再生コンテンツに対して分割して割り当てることにより各再生コンテンツの視聴料を算出する
ことを特徴とする請求項２記載の再生履歴管理方法。
【請求項４】
ネットワークを介してコンテンツ提供装置から取得したコンテンツをユーザ端末において再生するとともにユーザ端末における再生履歴を再生履歴管理装置で管理するシステムにおいて、
各コンテンツを一意に識別可能なコンテンツ識別情報が含まれるコンテンツの属性情報を記憶管理する属性情報管理装置を備え、
ユーザ端末は、コンテンツを再生すると該コンテンツにアクセスするためのアクセス情報を含む再生履歴情報を記録する手段と、該再生履歴情報を再生履歴管理装置に送信する手段とを備え、
ユーザ端末又は再生履歴管理装置は、前記再生履歴情報のアクセス情報により取得されるコンテンツからコンテンツ識別情報を抽出して該再生履歴情報に含ませる手段を備えた
ことを特徴とする再生履歴管理システム。
【請求項５】
ネットワークを介してコンテンツ提供装置から取得したコンテンツを再生するコンテンツ再生装置において、
ユーザ端末は、コンテンツを再生すると該コンテンツにアクセスするためのアクセス情報を含む再生履歴情報を記録する手段と、該再生履歴情報を再生履歴管理装置に送信する手段とを備えた
ことを特徴とするコンテンツ再生装置。
【請求項６】
各コンテンツを一意に識別可能なコンテンツ識別情報を再生履歴情報のアクセス情報により取得されるコンテンツから抽出して該再生履歴情報に含ませる手段を備えた
ことを特徴とする請求項５記載のコンテンツ再生装置。
【請求項７】
コンピュータを、ネットワークを介してコンテンツ提供装置から取得したコンテンツを再生する手段と、コンテンツを再生すると該コンテンツにアクセスするためのアクセス情報を含む再生履歴情報を記録する手段と、該再生履歴情報を再生履歴管理装置に送信する手段として機能させる
ことを特徴とするコンテンツ再生プログラム。
【請求項８】
ネットワークを介してコンテンツ提供装置から取得したコンテンツをユーザ端末において再生するシステムにおいて、ユーザ端末における再生履歴を管理する再生履歴管理装置であって、
各コンテンツを一意に識別可能なコンテンツ識別情報を含む再生履歴情報をユーザ端末から受信する手段と、
該コンテンツ識別情報を用いて再生履歴情報を管理する手段とを備えた
ことを特徴とする再生履歴管理装置。
【請求項９】
ネットワークを介してコンテンツ提供装置から取得したコンテンツをユーザ端末において再生するシステムにおいて、ユーザ端末における再生履歴を管理する再生履歴管理装置であって、
コンテンツにアクセスするためのアクセス情報を含む再生履歴情報をユーザ端末から受信する手段と、
各コンテンツを一意に識別可能なコンテンツ識別情報を前記再生履歴情報のアクセス情報により取得されるコンテンツから抽出する手段と、
該コンテンツ識別情報を用いて再生履歴情報を管理する手段とを備えた
ことを特徴とする再生履歴管理装置。
【請求項１０】
コンピュータを、ネットワークを介してコンテンツ提供装置から取得したコンテンツを再生したユーザ端末から各コンテンツを一意に識別可能なコンテンツ識別情報を含む再生履歴情報を受信する手段と、該コンテンツ識別情報を用いて再生履歴情報を管理する手段として機能させる
ことを特徴とする再生履歴管理プログラム。
【請求項１１】
コンピュータを、ネットワークを介してコンテンツ提供装置から取得したコンテンツを再生したユーザ端末からコンテンツにアクセスするためのアクセス情報を含む再生履歴情報を受信する手段と、各コンテンツを一意に識別可能なコンテンツ識別情報を前記再生履歴情報のアクセス情報により取得されるコンテンツから抽出する手段と、該コンテンツ識別情報を用いて再生履歴情報を管理する手段として機能させる
ことを特徴とする再生履歴管理プログラム。
【請求項１２】
請求項７，１０，１１何れか１項記載のプログラムを記録した記録媒体。
【発明の詳細な説明】
【０００１】
【発明の属する技術分野】
本発明は、ユーザ端末がコンテンツ提供装置からコンテンツを取得・再生した際にコンテンツの再生履歴を再生履歴管理装置で管理するシステムに関する。
【０００２】
【従来の技術】
従来、インターネットを利用してダウンロードコンテンツ又はストリーミングコンテンツを視聴する場合、サーバ側で利用者（消費者）によるダウンロード履歴を記録することにより、視聴料金を課している。
【０００３】
一方、単一又は複数のコンテンツを格納したＣＤやＤＶＤ（以下、パッケージメディア）のコンテンツを再生する場合は、ディスクＩＤ及びその中のトラック番号を取得することにより、利用者端末で再生コンテンツの履歴を生成し、記録している（特許文献１参照）。このシステムにおいては、サーバ側で定期的に利用者端末のログを収集している。
【０００４】
【特許文献１】
特開２００２−１４９６９３号公報
【０００５】
【発明が解決しようとする課題】
従来のような再生履歴の管理システムにおいては、次に示すような解決すべき課題がある。
【０００６】
すなわち、インターネットによるコンテンツの配信形態において、利用者がダウンロードしてから再生するコンテンツがあるが、ダウンロードしたからといって必ずしも再生するとは限らない。したがって、サーバでダウンロード履歴を捕捉するだけでは不十分といえる。また、パッケージメディアと異なり、サーバからのダウンロードコンテンツにはディスクＩＤが存在しないため、利用者端末での再生履歴を記録することはできない。
【０００７】
また、新たなコンテンツ再生の形態として、連携制御記述スクリプトによるコンテンツ再生も考えられている。連携制御記述スクリプトとは、複数のコンテンツがある特定の条件に合致する場合に、コンテンツ同士が連携して再生するような制御条件及びコンテンツを記述しておくスクリプトのことである。連携制御記述スクリプトの一例としては、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）で記述されたスクリプトが挙げられる。この連携制御記述スクリプトでは各コンテンツの存在場所をＵＲＬ（Ｕｎｉｆｏｒｍ  Ｒｅｓｏｕｒｃｅ  Ｌｏｃａｔｏｒ）で指定する。このスクリプトを用いると、例えば、利用者のマウス操作に応じて再生するコンテンツを変化させる、あるいは、時間帯に応じて再生するコンテンツを変化させる、ということが可能となる。したがって、このスクリプトにコンテンツ（のＵＲＬ）が記述されているからといって必ずしも全てが再生されるとは限らない。また、スクリプトを再生するたびに再生されるコンテンツが異なることもあり得る。
【０００８】
このように連携制御記述スクリプトに基づくコンテンツ再生では、再生されたコンテンツを保有しているサーバ側で逐一再生コンテンツを捕捉し、利用者に課金・請求するようなシステムとすると、利用者は膨大な数のサーバ側から請求を受けることとなり、煩わしいと感じてしまうという問題点があった。
【０００９】
一方、このような事態を避けるためには、すべての連携制御記述スクリプトに記述されているすべてのコンテンツを保有しているすべてのサーバを統括・管理するサーバを設置することが必要になるが、現実的とはいえない。
【００１０】
本発明は、上記事情に鑑みてなされたものであり、その目的とするところは、ネットワークを介したコンテンツ再生においても適切な再生履歴を取得することができる装置，方法，プログラム及び該プログラムを記録した媒体を提供することにある。
【００１１】
【課題を解決するための手段】
上記目的を達成するために、本願発明では、ネットワークを介してコンテンツ提供装置から取得したコンテンツをユーザ端末において再生するシステムにおいて、ユーザ端末における再生履歴を再生履歴管理装置で管理するにあたって、各コンテンツを一意に識別可能なコンテンツ識別情報が含まれるコンテンツの属性情報を属性情報管理装置で記憶管理しておき、ユーザ端末はコンテンツを再生すると該コンテンツにアクセスするためのアクセス情報を含む再生履歴情報を記録するとともに該再生履歴情報を再生履歴管理装置に送信し、ユーザ端末又は再生履歴管理装置は前記再生履歴情報のアクセス情報により取得されるコンテンツからコンテンツ識別情報を抽出して該再生履歴情報に含ませることを特徴とするものを提案する。
【００１２】
本発明によれば、従来のようにコンテンツ提供装置においてダウンロードした事を基準に履歴を作成するのではなく、実際にユーザ端末においてコンテンツが再生された事に基づき履歴が作成されるので、再生履歴管理装置では適切な履歴管理を行うことができる。また、本発明では、コンテンツの属性情報がコンテンツ識別情報に基づき属性情報管理装置で管理されている環境で、ユーザ端末又は再生履歴管理装置においてコンテンツ識別情報が抽出されるので、再生履歴管理装置ではコンテンツを一意に特定した適切な管理が可能となる。これにより、あるコンテンツが複数のコンテンツ提供装置から提供されている場合であってもコンテンツ単位での履歴管理を行うことができる。
【００１３】
本発明の好適な態様の一例としては、本願では、前記ユーザ端末において、再生対象となる一以上のコンテンツのアクセス情報が含まれるスクリプトに基づき該スクリプトに含まれるコンテンツの一部又は全てを再生し、再生したコンテンツについてのみ前記再生履歴情報を記録するものが挙げられる。
【００１４】
【発明の実施の形態】
本発明の一実施の形態に係る再生履歴管理システムについて図面を参照して説明する。図１は再生履歴管理システムの構成を示すブロック図である。
【００１５】
図１に示す再生履歴管理システムは、コンテンツ提供装置１００から静止画・動画・音楽などのコンテンツを受信・再生するユーザ端末２００において実際に再生されたコンテンツの履歴を再生履歴管理装置３００が管理するものである。本実施の形態では、連携制御スクリプトに基づきユーザ端末２００においてコンテンツが再生した場合の、再生履歴の管理について説明する。具体的には、例えばＲｅａｌＮｅｔｗｏｒｋｓ社のＲｅａｌＯｎｅＰｌａｙｅｒなどを用いてＳＭＩＬなどで記述された連携制御記述スクリプトをユーザ端末２００において実行中に、実際に再生されたコンテンツの再生開始日時、再生終了日時、コンテンツＩＤ（後述する）などを取得し、それらを再生履歴情報として記録し、該再生履歴情報を管理装置３００において管理する。
【００１６】
ユーザ端末２００は、コンテンツをダウンロード再生する際に該コンテンツを記憶するコンテンツ記憶部２０１と、コンテンツ提供装置１００から受信したコンテンツを再生するコンテンツ再生部２０２と、コンテンツ再生部２０２で再生したコンテンツから各コンテンツを一意に識別するコンテンツＩＤを抽出するコンテンツＩＤ抽出部２０３と、コンテンツ再生部２０２における再生の履歴を再生履歴記憶部２０６に記録するとともに該再生履歴情報を再生履歴管理措置３００に送信する再生履歴記録送信部２０４と、上記各部２０２〜２０４を制御する再生履歴取得制御部２０５とを備えている。
【００１７】
コンテンツ再生部２０２は、コンテンツ提供装置１００で提供するコンテンツをコンテンツ記憶部２０１にダウンロードし、該コンテンツを再生するダウンロード再生機能と、コンテンツ提供装置１００からコンテンツを受信しながら再生するストリーミング再生機能を有している。なお、コンテンツ再生部２０２は、ストリーミング再生機能を実現するためにバッファリング処理を行っており、このため内部にバッファ（図示省略）を備えている。ここで、コンテンツ再生部２０２は、コンテンツにアクセスするための情報、具体的にはＵＲＬを指定することによりコンテンツの再生が可能である。また、コンテンツ再生部２０２は、コンテンツ又は他の連携制御記述スクリプトのＵＲＬが記述された連携制御記述スクリプトに基づきコンテンツの再生が可能である。連携制御記述スクリプトは、コンテンツと同様に、連携制御記述スクリプトにアクセスするための情報、具体的にはＵＲＬを指定することにより、コンテンツ提供装置１００から受信・実行される。このように、連携制御記述スクリプトを単体のコンテンツと同様に扱うので、以降の説明では単に「コンテンツ」といった場合には連携制御記述スクリプトも含むものとする。
【００１８】
コンテンツＩＤ抽出部２０３は、コンテンツ再生部２０２で再生されたコンテンツからコンテンツＩＤを抽出する。このコンテンツＩＤは、予めコンテンツに添付又は埋め込んであるものとする。添付又は埋め込みの手段としてはＤＣＤ（詳細は、ｈｔｔｐ：／／ｗｗｗ．ｃｉｄｆ．ｏｒｇ／を参照）や電子透かしなどが挙げられる。本実施の形態では、コンテンツＩＤとしてｈｔｔｐ：／／ｗｗｗ．ｃｉｄｆ．ｏｒｇ／で提唱されているｃＩＤを用いた。
【００１９】
再生履歴記録送信部２０４は、コンテンツＩＤ抽出部２０３で抽出されたコンテンツＩＤと、後述する再生履歴取得制御部２０５で取得されたコンテンツ名（ＵＲＬ）、再生開始日時、再生終了日時等とを再生履歴情報として再生履歴記憶部２０６に記憶する。ここで、再生履歴情報は、コンテンツが連携制御記述スクリプトの場合には、当該スクリプト自体及び当該スクリプトの実行により実際に再生された単体のコンテンツ又は連携制御記述スクリプトについて記録される。また、再生履歴記録送信部２０４は、再生履歴記憶部２０６に記憶されている再生履歴情報を再生履歴管理装置３００に送信する。再生履歴情報送信のタイミングとしては、再生履歴管理装置３００からの要求があった場合、例えば毎週金曜日など予め定められたスケジュールに合致する場合、ユーザからの指示があった場合、などが挙げられる。
【００２０】
再生履歴記録送信部２０４が記録・送信する再生履歴情報のデータ構造の一例を図２に示す。本実施形態では、図２に示すように、再生開始日時、再生終了日時、コンテンツＩＤ、コンテンツ名（ＵＲＬ）を記録している。
【００２１】
再生履歴取得制御部２０５は、再生履歴情報を取得するために、コンテンツ再生部２０２，コンテンツＩＤ抽出部２０３，再生履歴記録送信部２０４を制御する。具体的には、コンテンツ再生部２０２においてコンテンツが再生されたときに、該コンテンツのコンテンツ名（ＵＲＬ）、再生開始日時、再生終了日時等を取得して再生履歴記録送信部２０４に渡すとともに、コンテンツＩＤ抽出部２０３にコンテンツＩＤの抽出を指示する。
【００２２】
再生履歴管理装置３００は、ユーザ端末２００の再生履歴記録送信部２０４から再生履歴情報を受信し、該再生履歴情報を再生履歴記憶部３０２に蓄積するとともに種々の管理を行う再生履歴管理部３０１を備えている。再生履歴管理部３０１は、再生履歴情報の管理を行うためにネットワークを介して種々の装置と通信可能となっている。本実施の形態では、再生履歴管理の一項目としてコンテンツの権利者（コンテンツホルダ）へのコンテンツ視聴料（インセンティブ）を算出するために、コンテンツの属性情報を取得する属性情報取得装置４００と、視聴料の分配額を算出する分配額算出装置５００と接続可能となっている。再生履歴管理装置３００は、属性情報取得装置４００にコンテンツＩＤを渡すことによりコンテンツの属性情報を取得することができる。また、分配額算出装置５００にコンテンツの属性情報を渡すことにより視聴料の分配額を取得することができる。
【００２３】
属性情報取得装置４００は、コンテンツのコンテンツＩＤ、著作者名、視聴料の分配率、コンテンツの利用条件などの属性情報を、属性情報管理装置６００から取得する。再生履歴管理装置３００がコンテンツの属性情報を取得するには、属性情報取得装置４００にコンテンツＩＤを送信すればよい。
【００２４】
分配額算出装置５００は、コンテンツの属性情報を入力としてコンテンツの視聴料の分配額を算出する。すなわち、コンテンツが連携制御記述スクリプトの場合には、該連携制御スクリプトに対する視聴料を、該スクリプトに記述された各コンテンツの権利者に分配するのではなく、実際に再生されたコンテンツの権利者に対してのみ分配するように分配額を算出する。
【００２５】
なお、上記各装置はコンピュータにプログラムをインストールすることにより実装される。プログラムは、ＦＤ、ＣＤ、ＤＶＤ、ＨＤ、ＺＩＰ、半導体メモリ等の記録媒体からインストールしたり、ネットワークからダウンロードしてインストールすればよい。
【００２６】
次に、本実施の形態に係る再生履歴管理システムによる再生履歴取得の動作について図３のフローチャートを参照して説明する。
【００２７】
まず、コンテンツ再生部２０２は、再生履歴取得制御部２０５の指示によりコンテンツ提供装置１００からコンテンツを取得する（ステップＳ１）。コンテンツ取得方法としては、前述のように、ダウンロードによる場合、ストリーミングによる場合、連携制御記述スクリプトに記述してある方法で取得する場合などがあり、何れの方法でも可能である。また、連携制御記述スクリプト自体もダウンロード、ストリーミングにより取得可能である。ダウンロードによる場合、コンテンツの最後まで取得し終えるまで再生は行えないため、取得完了を監視する必要がある。一方、ストリーミングの場合は、コンテンツのある一定サイズをバッファリングした時点で再生を開始する。
【００２８】
再生履歴取得制御部２０５は、再生が開始されたかどうかを判定し（ステップＳ２）、再生開始を検出したら、コンテンツのコンテンツ名（ＵＲＬ）及び再生開始日時を取得する（ステップＳ３、Ｓ４）。再生開始日時は、後で履歴として記録するため、現時点では再生履歴取得制御部２０５においてメモリ、ＨＤなどの記憶部（図示省略）に保存しておく。
【００２９】
次に、コンテンツＩＤ抽出部２０３において、バッファ若しくはＨＤ上に存在するコンテンツからＩＤを抽出し（ステップＳ５）。再生開始日時と同様に、再生履歴取得制御部２０５において保存しておく。次に、再生履歴取得制御部２０５は、コンテンツＩＤを抽出した後に当該コンテンツの再生終了を判定し（ステップＳ６）、再生終了を検出すると、コンテンツの再生終了日時を取得し、再生履歴取得制御部２０５に保存しておく（ステップＳ７）。次に、再生履歴記録送信部２０４は、再生開始・終了日時、コンテンツ名（ＵＲＬ）、コンテンツＩＤを再生履歴ファイルとして再生履歴記憶部２０６にログ出力する（ステップＳ８）。ここで、出力する再生履歴ファイルが既に存在していた場合は、末尾に追記したり、再生履歴ファイル名を変更して新たに出力すればよい。
【００３０】
以上の処理で一つのコンテンツに関する再生履歴が取得できたことになる。したがって、利用者が単一のコンテンツを繰り返し視聴する場合は、上述のフロー（ステップＳ１からステップＳ８まで）が、再生するコンテンツの数だけ繰り返されることになる。同様に、連携制御記述スクリプトを再生することにより複数のコンテンツを再生する場合、一つのコンテンツが再生されるたびにステップＳ１からステップＳ８までを繰り返す。ただし、連携制御記述スクリプトに記述されているコンテンツは、利用者の操作状態や時間帯などに依存するため、必ずしも全てが再生されるとは限らず、そのような再生されないコンテンツの再生履歴は取得されない。
【００３１】
上述のステップがすべて終了し、再生履歴が取得できると、再生履歴記録送信部２０４は、再生履歴ファイル及び連携制御記述スクリプト情報を再生履歴管理装置３００へ渡す。
【００３２】
次に、再生履歴管理装置３００が実際に再生されたコンテンツの権利者へコンテンツ視聴料（インセンティブ）の分配額を再生履歴情報に基づいて算出する流れについて図４を参照して説明する。
【００３３】
まず、再生履歴管理装置３００は、実際に再生されたコンテンツ及び連携制御記述スクリプトに関する情報をユーザ端末２００の再生履歴記録送信部２０４から取得する（ステップＳ１１）。次に、連携制御記述スクリプトに対する課金額をチェックする（ステップＳ１２）。この課金額から連携制御記述スクリプトを仲介することによって発生する料金（仲介料）を差し引く（ステップＳ１３）。最後に、連携制御記述スクリプトに対する金額から仲介料を差し引いた額を、スクリプトに記述されているコンテンツのうち、実際に再生されたコンテンツに対して均等に割り当てる（ステップＳ１４）。ここまでの計算が完了した後、コンテンツＩＤに基づいて各権利者へ分配額を視聴料としてメール等の手段を用いて通知する。ただし、通知に関しては、権利者へ直接行う場合、コンテンツホルダ経由で行う場合など、任意に決めることが可能である。
【００３４】
なお、ここでは再生されたコンテンツに対してコンテンツ視聴料（インセンティブ）を均等に分配したが、これをさらに細かく分配することも可能である。例えば、連携制御記述スクリプトに記述されているあるコンテンツに対して、再生履歴情報に基づいて正確な再生時間を求め、その時間がコンテンツ全体の再生時間に占める割合を求めることにより分配額を決めてもよい。あるいは、コンテンツの属性情報に基づいて、メディア種別（映像、音楽、静止画、テキストなど）ごとに配分の比率を変えて分配額を決めてもよく、任意に構成可能である。
【００３５】
以上詳述したように、本実施の形態に係る再生履歴管理システムによれば、再生履歴管理装置３００は、ユーザ端末２００で実際に再生されたコンテンツについての再生履歴を取得・管理することができるので適切な履歴管理が可能となる。すなわち、上述のように連携制御記述スクリプトによるコンテンツ再生であっても実際に再生されたコンテンツのみを適切に認識できるので、連携制御記述スクリプトに対する視聴料を、実際に再生されたコンテンツの権利者のみに分配するような管理を適切に実施できる。
【００３６】
以上、本発明の一実施の形態について詳述したが本発明はこれに限定されるものではない。例えば、上記実施形態に係るシステムは、再生履歴管理装置３００、属性情報取得装置４００、分配額算出装置５００をそれぞれ別装置とすることにより、各装置の負荷分散を実現できるという利点を有するとともに、再生履歴の管理や属性情報の取得を得意とする専門の組織によるビジネス参入を促進する場合に有効であるという利点をも有する。しかしながら、各装置の各機能部のネットワーク上の実装位置関係は不問である。
【００３７】
例えば、図５に示すように、再生履歴管理装置３００に属性情報取得部３０３及び分配額算出部３０４を実装するようにしてもよい。この場合には、実際に再生されたコンテンツの権利者情報を一元管理することが可能となり、ビジネスを独占する場合に有効である。
【００３８】
また、上記実施の形態では、ユーザ端末１００においてコンテンツＩＤを抽出するようにしたが、再生履歴管理装置３００においてコンテンツＩＤを抽出するようにしてもよい。この場合、再生履歴管理装置３００は、再生履歴情報に含まれるコンテンツのＵＲＬからコンテンツを取得し、該コンテンツに添付されたまたは埋め込まれたコンテンツＩＤを抽出すればよい。
【００３９】
また、上記実施の形態では、再生履歴情報の管理項目の一例としてコンテンツ視聴料（インセンティブ）を分配について例示したが、他の管理項目についても利用できることはいうまでもない。例えば、連携制御記述スクリプトを再生した視聴者がどのようなコンテンツを好んで視聴するのかという情報を得るために用いることもできる。この場合には、当該情報に基づき視聴者に適した他のコンテンツの提供などを実現できる（レコメンデーション）。また、視聴者の性別・年齢層などの情報に基づいて再生コンテンツを分類することもできる。この場合には、どういう視聴者層にどのようなコンテンツが好まれるかを調査することが可能となる（マーケットリサーチ）。
【００４０】
【発明の効果】
以上説明したように、本発明によれば、コンテンツ識別情報を抽出することにより再生履歴を捕捉するため、ストリーミング再生、ダウンロード後の再生、パッケージメディアの再生という区別をすることなくコンテンツの再生履歴を取得することが可能となる。また、本発明によれば、連携制御記述スクリプトのように、記述されているからといって必ずしも再生されるとは限らない場合においても、再生されたコンテンツのみを捕捉し、そのコンテンツの権利者を特定することができるため、確実にコンテンツ視聴料（インセンティブ）を分配することが可能となる。
【図面の簡単な説明】
【図１】再生履歴管理システムのシステム構成図
【図２】再生履歴情報の一例を説明する図
【図３】再生履歴取得の流れを説明するフローチャート
【図４】視聴料の分配額を算出する流れを説明するフローチャート
【図５】他の例に係る再生履歴管理システムのシステム構成図
【符号の説明】
１００…コンテンツ提供装置、２００…ユーザ端末、２０１…コンテンツ記憶部、２０２…コンテンツ再生部、２０３…コンテンツＩＤ抽出部、２０４…再生履歴記録送信部、２０５…再生履歴取得制御部、２０６…再生履歴記憶部、３００…再生履歴管理装置、３０１…再生履歴管理部、３０２…再生履歴記憶部、４００…属性情報取得装置、５００…分配額算出装置、６００…属性情報管理装置
【図１】
2005025559.tif 000003
【図２】
2005025559.tif 000004
【図３】
2005025559.tif 000005
【図４】
2005025559.tif 000006
【図５】
2005025559.tif 000007